(57)【要約】      （修正有）【課題】椅子の支持力を効果的に向上させ、重心が不安定になることで使用者が椅子と共に直接後ろに倒れて怪我をするという問題を防止できる椅子の脚の延伸連結構造を提供する。【解決手段】椅子の脚の延伸連結構造は、椅子の脚に設置されるものであり、連結片１０と、底板２０と、連結部３０と、を備える。連結片の一端は底板に連結され、連結部は、連結片の他端に設置され、第１延出片３２と第２延出片３３とラッチ４０との間に椅子の脚をはさんで固定する。【選択図】図２
0003223868.tif 000002
【実用新案登録請求の範囲】
【請求項１】
椅子の脚に設置されるための椅子の脚の延伸連結構造であって、
連結片と、底板と、連結部と、を備え、
前記連結片の一端は、前記底板に連結され、
前記連結部は、前記連結片の他端に設置され、前記椅子の脚を固定するためのものであることを特徴とする椅子の脚の延伸連結構造。
【請求項２】
更に、ラッチを備え、
前記連結部は、連結片と、第１延出片と、第２延出片と、を更に備え、
前記第１延出片及び前記第２延出片は、それぞれ前記連結片の両側に設置され、各々に孔を有し、
前記椅子の脚は、前記ラッチがこれらの孔に貫設されることにより、前記連結片と、前記第１延出片、前記第２延出片及び前記ラッチとの間に固定されることを特徴とする請求項１に記載の椅子の脚の延伸連結構造。
【請求項３】
前記ラッチは、レンチ部とピン部とを備え、
前記レンチ部は、前記ピン部の一端に設置され、
前記ピン部の他端は、前記第１延出片の前記孔及び前記第２延出片の前記孔にそれぞれ貫設されることを特徴とする請求項２に記載の椅子の脚の延伸連結構造。
【請求項４】
前記レンチ部と前記ピン部との間には、角度があることを特徴とする請求項３に記載の椅子の脚の延伸連結構造。
【請求項５】
前記ラッチは、前記ピン部に凸設される位置決め部を更に備え、
前記第１延出片は、第１挿入孔を有し、
前記第１挿入孔は、前記第１延出片の前記孔に連通され、
前記ラッチを前記第１延出片の前記孔に貫通させると、前記位置決め部は前記第１挿入孔から貫通することができ、且つ前記ラッチの前記レンチ部は前記第１延出片の一側に当接され、
前記位置決め部と前記第１延出片の他側との距離を第１距離とし、前記ピン部の一端と前記第２延出片の前記第１延出片に向ける側面との距離を第２距離とする場合に、前記第２距離は前記第１距離より長いことを特徴とする請求項３に記載の椅子の脚の延伸連結構造。
【請求項６】
前記第２延出片は、第２挿入孔を有し、
前記第２挿入孔は、前記第２延出片の前記孔部に連通され、
前記ラッチを前記第２延出片の前記孔に貫通させると、前記位置決め部は前記第２挿入孔から貫通することができ、且つ前記ラッチの前記レンチ部は前記第２延出片の一側に当接され、
前記位置決め部と前記第２延出片の他側との距離を第３距離とし、前記ピン部の一端と前記第２延出片の前記第１延出片に向ける側面との距離を第４距離とする場合に、前記第４距離は前記第３距離より長いことを特徴とする請求項５に記載の椅子の脚の延伸連結構造。
【請求項７】
前記第１延出片及び前記第２延出片は、それぞれ、前記連結片と垂直に設置されることを特徴とする請求項２に記載の椅子の脚の延伸連結構造。
【請求項８】
前記連結片と前記底板とは、夾角を成し、
前記夾角の角度は、前記椅子の脚と地面との角度であることを特徴とする請求項１に記載の椅子の脚の延伸連結構造。
【請求項９】
前記底板は、前記底板の中段に隆起するリブ部を備えることを特徴とする請求項１に記載の椅子の脚の延伸連結構造。
【請求項１０】
前記底板は、第１側と第２側とを備え、
前記連結片は、前記底板の前記第１側に設置されることを特徴とする請求項１に記載の椅子の脚の延伸連結構造。
【請求項１１】
前記底板は、第１側と第２側とを備え、
前記連結片は、前記底板の前記第２側に設置されることを特徴とする請求項１に記載の椅子の脚の延伸連結構造。
【考案の詳細な説明】
【技術分野】
【０００１】
本考案は、椅子の脚の延伸連結構造に関し、特に、折畳椅子の椅子の脚に設置されることによって椅子の脚の支持力を向上させ、椅子が後ろに倒れることを防止できる椅子の脚の延伸連結構造に関する。
【背景技術】
【０００２】
折畳椅子は、折り畳んで収納可能な椅子であり、不使用時に折り畳まれることによって占める空間が小さくなるから、収納・運搬しやすいものである。
【０００３】
図１は、従来の折畳椅子を例示する側面図である。図１に示されるように、従来の折畳椅子は、前脚フレーム９０と、椅子の座面９２と、後脚フレーム９３と、を備える。前脚フレーム９０は、椅子の背面９１を含む。従来の折畳椅子は、前脚フレーム９０が後脚フレーム９３及び椅子の座面９２にそれぞれピン接合されることにより、反転可能や折り畳んで収納可能という特性を有することになる。
【考案の概要】
【考案が解決しようとする課題】
【０００４】
しかしながら、従来の折畳椅子には、重心偏移という問題がある。従来の折畳椅子の側面図から分かるように、従来の折畳椅子が、椅子の背９１の頂部を位置Ａとし、位置Ａから鉛直方向下方に延伸して地面８５に達した所を位置Ｃとし、及び位置Ｃと後脚フレーム９３の位置Ｂとの距離を距離Ｄとする場合には、従来の折畳椅子の重心バランス点が後脚フレーム９３の位置Ｂとなる。使用者は、折畳椅子に座る時に少し後ろに反ると、重心が不安定になり、後ろに倒れることがある。
【０００５】
さらに、従来の折畳椅子のもう一つの種類には、跳ね返る可能な椅子の座面９２を有し、使用者が椅子の座面９２から一旦離れると、椅子の座面９２が跳ね返って折り畳まれることになる。この時、使用者は気付かないままで座ると、重心が不安定になり、椅子と共に直接後ろに倒れてしまって怪我をすることがある。
【０００６】
本考案は、折畳椅子の椅子の脚に設置されることによって椅子の脚の支持力を向上させ、椅子が後ろに倒れることを防止できる椅子の脚の延伸連結構造を提供することを主な目的とする。
【課題を解決するための手段】
【０００７】
上記目的を達成するために、本考案は、椅子の脚に設置されるための椅子の脚の延伸連結構造を提供する。前記椅子の脚の延伸連結構造は、連結片と、底板と、連結部と、を備える。
【０００８】
連結片、底板及び連結部について、連結片の一端は底板に連結されており、連結部は、連結片の他端に設置され、椅子の脚を固定するためのものである。
【０００９】
本考案の一つの実施例では、椅子の脚の延伸連結構造は、更にラッチを備え、連結部は、連結片と、第１延出片と、第２延出片と、を更に備える。第１延出片と第２延出片は、それぞれ連結片の両側に設置され、各々に孔を有する。椅子の脚は、ラッチがこれらの孔に貫設されることにより、連結片と、第１延出片、第２延出片及びラッチとの間に固定されることができる。
【００１０】
好ましくは、ラッチはレンチ部とピン部とを備え、レンチ部はピン部の一端に設置され、ピン部の他端は第１延出片の孔及び第２延出片の孔にそれぞれ貫設される。
【００１１】
また、レンチ部とピン部との間には、角度がある。
【００１２】
本考案の一つの実施例では、ラッチは、ピン部に凸設される位置決め部を更に備え、第１延出片は、第１延出片の孔に連通される第１挿入孔を有する。ラッチを第１延出片の孔に貫通させると、位置決め部は第１挿入孔から貫通することができ、且つ、ラッチのレンチ部は第１延出片の一側に当接される。位置決め部と第一延出片の他側との距離を第１距離とし、ピン部の一端と第２延出片の第１延出片に向ける側面との距離を第２距離とする場合に、第２距離は第１距離より長い。
【００１３】
好ましくは、第２延出片は、第２延出片の孔に連通される第２挿入孔を有する。ラッチを第２延出片の孔に貫通させると、位置決め部は第２挿入孔から貫通することができ、且つ、ラッチのレンチ部は第２延出片の一側に当接される。位置決め部と第２延出片の他側との距離を第３距離とし、ピン部の一端と第２延出片の第１延出片に向ける側面との距離を第４距離とする場合に、第４距離は第３距離より長い。
【００１４】
好ましくは、第１延出片と第２延出片は、それぞれ連結片と垂直に設置される。
【００１５】
本考案の一つの実施例では、連結片と底板とは、夾角を成す。前記夾角の角度は、椅子の脚と地面との角度である。
【００１６】
本考案の一つの実施例では、底板は、底板の中段に隆起するリブ部を備える。
【００１７】
本考案の一つの実施例では、底板は、第１側と第２側とを備え、連結片は、底板の第１側に設置される。
【００１８】
本考案の一つの実施例では、底板は、第１側と第２側とを備え、連結片は、底板の第２側に設置される。
【考案の効果】
【００１９】
本考案の効果は、連結部が椅子の脚に連結されることにより、連結片と底板によって支持力を向上させ、折畳椅子の重量を支持し、重心が不安定であるため椅子が後ろに倒れるという問題を防止できることにある。
【００２０】
さらに、使用者が跳ね返った椅子の座面を気付かないままで座ると、重心が不安定になり、椅子と共に直接後ろに倒れて怪我をするという問題を解決できる。
【図面の簡単な説明】
【００２１】
【図１】従来の折畳椅子を例示する側面図である。
【図２】本考案の第１実施例に係る椅子の脚の延伸連結構造の組立状態を示す斜視図である。
【図３】本考案の第１実施例に係る椅子の脚の延伸連結構造を示す分解斜視図である。
【図４】本考案の第１実施例に係る椅子の脚の延伸連結構造を示す側面図である。
【図５】本考案の第１実施例に係る椅子の脚の延伸連結構造の第１取付け方法を示す概略図である。
【図６】本考案の第１実施例に係る椅子の脚の延伸連結構造の第１取付け方法を示す概略図である。
【図７】本考案の第１実施例に係る椅子の脚の延伸連結構造の第１取付け方法を示す概略図である。
【図８】本考案の第１実施例に係る椅子の脚の延伸連結構造の第２取付け方法を示す概略図である。
【図９】本考案の第１実施例に係る椅子の脚の延伸連結構造の第２取付け方法を示す側面図である。
【図１０】本考案の第２実施例に係る椅子の脚の延伸連結構造の組立状態を示す斜視図である。
【図１１】本考案の第１実施例に係る椅子の脚の延伸連結構造と第２実施例に係る椅子の脚の延伸連結構造とがそれぞれ後脚フレームの２つの椅子の脚に設置されることを示す概略図である。
【図１２】使用者が、後脚フレームの２つの椅子の脚に本考案の第１実施例に係る椅子の脚の延伸連結構造と第２実施例に係る椅子の脚の延伸連結構造とが設置された折畳椅子に座ることを示す概略図である。
【考案を実施するための形態】
【００２２】
以下、当業者が明細書に基づいて本考案を実施できるように、図面を参照しながら本考案の実施方法をより詳細に説明する。
【００２３】
図２は、本考案の第１実施例に係る椅子の脚の延伸連結構造の組立状態を示す斜視図であり、図３は、本考案の第１実施例に係る椅子の脚の延伸連結構造を示す分解斜視図である。図２、図３に示されるように、本考案は、椅子の脚の延伸連結構造を提供する。前記椅子の脚の延伸連結構造は、後脚フレーム９３のいずれか１つの椅子の脚８０に設置されるためのものであり（図５参照）、連結片１０と、底板２０と、連結部３０と、を備える。以下、各部材について詳細に解説する。
【００２４】
連結片１０の一端は底板２０に連結され、連結部３０は、連結片１０の他端に設置される。本考案の第１実施例では、底板２０の強度を向上させるために、底板２０は、底板２０の中段に隆起するリブ部２１を備える。本考案の第１実施例では、底板２０は、第１側２２と第２側２３とを備え、連結片１０は、底板２０の第一側２２に設置される。
【００２５】
連結部３０は、連結片３１と、第１延出片３２と、第２延出片３３と、を備える。第１延出片３２と第２延出片３３とは、それぞれ連結片３１の両側に設置される。好ましくは、第１延出片３２と第２延出片３３とがそれぞれ連結片１０と垂直に設置されることにより、第１延出片３２と第２延出片３３との間に、椅子の脚８０を収容するためのギャップが形成される（図５参照）。また、本考案の第１実施例では、第１延出片３２は、第１挿入孔３２２と孔３２１とを備え、前記第１挿入孔３２２は、第１延出片３２の孔３２１に連通される。第２延出片３３は、孔３３１を備える。
【００２６】
本考案の第１実施例では、椅子の脚の延伸連結構造は、ラッチ４０を更に備える。ラッチ４０は、レンチ部４１とピン部４２とを備える。レンチ部４１は、ピン部４２の一端に設置される。ピン部４２を第１延出片３２の孔３２１及び第２延出片３３の孔３３１にそれぞれ貫通させられるために、ピン部４２の外径は、第１延出片３２の孔３２１及び第２延出片３３の孔３３１より小さいとされる。
【００２７】
また、本考案の第１実施例では、ラッチ４０は、ピン部４２に凸設される位置決め部４３を備える。ピン部４２が第１延出片３２の孔３２１に貫設されると、位置決め部４３は第１挿入孔３２２から貫通することができる。
【００２８】
図４は、本考案の第１実施例に係る椅子の脚の延伸連結構造を示す側面図である。図４に示されるように、ラッチ４０のピン部４２と位置決め部４３とを、第１延出片３２の孔３２１及び第１挿入孔３２２にそれぞれ貫通させると、ラッチ４０のレンチ部４１は第１延出片３２の一側に当接される。この時、位置決め部４３と第１延出片３２の他側との距離を第１距離４４とし、ピン部４２の一端と第２延出片３３の第１延出片３２に向ける側面との距離を第２距離４５とする。好ましくは、第２距離４５は第１距離４４より長い。
【００２９】
本考案の第１実施例では、レンチ部４１とピン部４２との間には、角度がある。ピン部４２の一端が第１延出片３２の孔３２１と第２延出片３３の孔３３１とに順に貫設されると、レンチ部４１は第１延出片３２の一側に当接される。レンチ部４１によってラッチ４０の位置決め効果が達成されることにより、ラッチ４０は第１延出片３２の孔３２１内及び第２延出片３３の孔３３１内に位置決めされることができる。
【００３０】
レンチ部４１とピン部４２との間の角度は、９０°であることが好ましいが、これに限定されない。
【００３１】
ここで特に注目すべきことは、本考案の第１実施例では、連結片１０と底板２０とは、夾角θを成す。夾角θの角度が椅子の脚８０と地面８５との角度であることから、連結部３０は椅子の脚８０に連結されることができる。
【００３２】
図５、図６及び図７は、それぞれ本考案の第１実施例に係る椅子の脚の延伸連結構造の第１取付け方法を示す概略図である。図５、図６及び図７に示されるように、本考案の第１取付け方法では、まず、椅子の脚８０が連結片３１と、第１延出片３２及び第２延出片３３との間に設置され、次いで、ラッチ４０を第１延出片３２の孔３２１に、及び位置決め部４３を第１延出片３２の第１挿入孔３２２に位置合わせた後、ピン部４２と位置決め部４３とを、孔３２１及び第１挿入孔３２２にそれぞれ貫通させてから、ピン部４２の一端を第２延出片３３の孔に貫通させることにより、椅子の脚８０が連結片３１と、第１延出片３２、第２延出片３３、及びラッチ４０との間に固定され、固定効果が達成される。
【００３３】
ここで、使用者は、ラッチ４０の角度を回転させることにより、位置決め部４３と第１挿入孔３２２とを位置ずれさせることができる。ラッチ４０が引かれる時に、位置決め部４３が第１延出片３２の他側に当接されるから、位置決め部４３を第１挿入孔３２２から取り外すことができなくなり、ラッチ４０の連結部３０からの脱落防止効果が達成される。
【００３４】
図８、図９は、本考案の第１実施例に係る椅子の脚の延伸連結構造の第２取付け方法を示す概略図と側面図である。図８、図９に示されるように、本考案の第２取付け方法では、第１取付け方法との差異は、連結部３０の第２延出片３３が第２挿入孔３３２を更に備え、かつ、前記第２挿入孔３３２が第２延出片３３の孔３３１に連通される点にある。
【００３５】
使用者は、第２延出片３３の方から、ラッチ４０を第１延出片３２及び第２延出片３３にそれぞれ貫通させてもよい。具体的には、組み付け時に、ラッチ４０が第２延出片３３の孔３３１から貫通することにより、位置決め部４３は第２挿入孔３３２から貫通することができ、且つ、ラッチ４０のレンチ部４１は第２延出片３３の一側に当接される。この時、位置決め部４３と第２延出片３３の他側との距離を第３距離４６とし、ピン部４２の一端と第２延出片３３の第１延出片３２に向ける側面との距離を第４距離４７とする場合に、第４距離４７は第３距離４６より長い。
【００３６】
ここで、使用者は、ラッチ４０の角度を回転させることにより、位置決め部４３と第２挿入孔３３２とを位置ずれさせることができる。ラッチ４０が引かれる時に、位置決め部４３が第２延出片３３の他側に当接されるから、位置決め部４３を第２挿入孔３３２から取り外すことができなくなり、ラッチ４０の連結部３０からの脱落防止効果が達成される。
【００３７】
本考案の第２取付け方法では、第２延出片３３に第２挿入孔３３２を穿設することにより、使用者は異なる方向からラッチ４０を第２延出片３３の孔３３１及び第１延出片３２の孔３２１にそれぞれ貫設させることができる。これにより、椅子の脚８０が連結片３１と、第１延出片３２、第２延出片３３、及びラッチ４０との間に固定され、位置決め効果が達成される。 
【００３８】
図１０は、本考案の第２実施例に係る椅子の脚の延伸連結構造の組立状態を示す斜視図である。図１０に示されるように、本考案の第２実施例では、第１実施例との差異は、底板２０Ａが第１側２２Ａと第２側２３Ａとを備え、かつ、連結片１０Ａが底板２０Ａの第２側２３Ａに設置され、連結部３０Ａが連結片１０Ａの他端に設置される点にある。底板２０Ａの第２側２３Ａが連結片１０Ａの一端に設置されることにより、本考案の第２実施例に係る椅子の脚の延伸連結構造は、後脚フレーム９３の他１つの椅子の脚８０に組み付けられる。
【００３９】
図１１は、本考案の第１実施例に係る椅子の脚の延伸連結構造と第２実施例に係る椅子の脚の延伸連結構造とが、それぞれ後脚フレームの２つの椅子の脚に設置されることを示す概略図であり、図１２は、使用者が、後脚フレームの２つの椅子の脚にそれぞれ本考案の第１実施例に係る椅子の脚の延伸連結構造と第２実施例に係る椅子の脚の延伸連結構造とが設置された折畳椅子に座ることを示す概略図である。図１１、図１２に示されるように、具体的には、本考案の第１実施例に係る椅子の脚の延伸連結構造が後脚フレーム９３の右側の椅子の脚８０に設置され、本考案の第２実施例に係る椅子の脚の延伸連結構造が後脚９３の左側の椅子の脚８０に設置されると、椅子を支持する効果がより優れることとなる。また、本考案に係る椅子の脚の延伸連結構造による支持により、椅子に座る時に、少し後ろに反ること又は重心が不安定になることで使用者が椅子と共に直接後ろに倒れて怪我をすることはなくなる。
【００４０】
本考案の効果は、連結部３０が椅子の脚８０に連結されることにより、連結片１０と底板２０によって支持力を向上させ、折畳椅子の重量を支持し、重心が不安定であるため椅子が後ろに倒れるという問題を防止できることにある。
【００４１】
さらに、使用者が跳ね返った椅子の座面を気付かないままで座ると、重心が不安定になり、椅子と共に直接後ろに倒れて怪我をするという問題を解決できる。
【００４２】
上記に記載された実施例は、本考案の好ましい実施例を説明するためのものに過ぎず、本考案を限定することを意図するものではない。したがって、本考案の趣旨を逸脱しない範囲での修正や変更は、いずれも本考案の請求範囲に含まれる。
【符号の説明】
【００４３】
１０    連結片
１０Ａ  連結片
２０    底板
２０Ａ  底板
２１    リブ部
２２    第１側
２２Ａ  第１側
２３    第２側
２３Ａ  第２側
３０    連結部
３０Ａ  連結部
３１    連結片
３２    第１延出片
３２１  孔
３２２  第１挿入孔
３３    第２延出片
３３１  孔
３３２  第２挿入孔
４０    ラッチ
４１    レンチ部
４２    ピン部
４３    位置決め部
４４    第１距離
４５    第２距離
４６    第３距離
４７    第４距離
８０    椅子の脚
８５    地面
９０    前脚フレーム
９１    椅子の背
９２    椅子の座面
９３    後脚フレーム
Ａ      位置
Ｂ      位置
Ｃ      位置
Ｄ      距離
θ      夾角 
【図１】
0003223868.tif 000003
【図２】
0003223868.tif 000004
【図３】
0003223868.tif 000005
【図４】
0003223868.tif 000006
【図５】
0003223868.tif 000007
【図６】
0003223868.tif 000008
【図７】
0003223868.tif 000009
【図８】
0003223868.tif 000010
【図９】
0003223868.tif 000011
【図１０】
0003223868.tif 000012
【図１１】
0003223868.tif 000013
【図１２】
0003223868.tif 000014